Podtech/llm-jp-corpus-v4-ja_patent huggingface dataset:
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
入力信号にピッチ変換処理を施して加工信号を生成する加工信号生成手段と、
前記入力信号と前記加工信号とを混合して出力する混合手段と、
前記入力信号と対応する音階音を推定する推定手段とを備え、
前記加工信号生成手段が、前記推定手段が入力信号と対応する音階音を推定できた場合には、前記入力信号のピッチをその推定した音階音のピッチに近づけるように前記ピッチ変換処理を行う手段であることを特徴とする音響信号処理装置。
【請求項２】
請求項１記載の音響信号処理装置であって、
前記推定手段が、前記入力信号のピッチと、ある音階音のピッチとの差が所定誤差範囲内の場合に、その音階音が前記入力信号と対応する音階音であると推定する手段であり、
前記加工信号生成手段が、前記推定手段が入力信号と対応する音階音を推定できた場合のみ前記加工信号の生成を行う手段であることを特徴とする音響信号処理装置。
【請求項３】
入力信号にピッチ変換処理を施して加工信号を生成する加工信号生成手段と、
前記入力信号と前記加工信号とを混合して出力する混合手段と、
前記入力信号のピッチと、ある音階音のピッチとの差が所定誤差範囲内の場合に、その音階音が前記入力信号と対応する音階音であると推定する推定手段とを備え、
前記加工信号生成手段が、前記推定手段が入力信号と対応する音階音を推定できた場合のみ前記加工信号の生成を行う手段であることを特徴とする音響信号処理装置。
【請求項４】
コンピュータを、
入力信号にピッチ変換処理を施して加工信号を生成する加工信号生成手段と、
前記入力信号と前記加工信号とを混合して出力する混合手段と、
前記入力信号と対応する音階音を推定する推定手段として機能させるためのプログラムであって、
前記加工信号生成手段が、前記推定手段が入力信号と対応する音階音を推定できた場合には、前記入力信号のピッチをその推定した音階音のピッチに近づけるように前記ピッチ変換処理を行う手段であることを特徴とするプログラム。
【請求項５】
コンピュータを、
入力信号にピッチ変換処理を施して加工信号を生成する加工信号生成手段と、
前記入力信号と前記加工信号とを混合して出力する混合手段と、
前記入力信号のピッチと、ある音階音のピッチとの差が所定誤差範囲内の場合に、その音階音が前記入力信号と対応する音階音であると推定する推定手段として機能させるためのプログラムであって、
前記加工信号生成手段が、前記推定手段が入力信号と対応する音階音を推定できた場合のみ前記加工信号の生成を行う手段であることを特徴とするプログラム。
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
画像を形成する画像形成手段と、前記画像形成手段によって形成された画像を記録材に転写するための転写ユニットと、装置本体に対して開閉可能に設けられた開閉部材と、を有し、前記転写ユニットは前記画像形成手段に隣接した隣接位置と前記画像形成手段を開放する開放位置とに移動可能である画像形成装置において、
前記開閉部材と前記転写ユニットはそれぞれ、互いに係合する係合部を有し、
前記開閉部材を開く時、それぞれの係合部は係合状態にあり、前記転写ユニットは前記開閉部材と共に移動し前記開放位置に移動し、
前記開閉部材が開かれた状態にある時、それぞれの係合部は非係合状態にあり、前記転写ユニットは前記開閉部材とは関係なく前記隣接位置に移動可能であることを特徴とする画像形成装置。
【請求項２】
前記開閉部材は外装カバーの一部であり、前記開閉部材と前記転写ユニットの間に記録材を搬送する搬送手段を有することを特徴とする請求項１記載の画像形成装置。
【請求項３】
前記転写ユニットは、記録材を担持搬送するベルトを有することを特徴とする請求項１記載の画像形成装置。
【請求項４】
前記転写ユニットは、前記画像形成手段によって形成された画像が記録材に転写される前に、その画像を一旦担持するベルトを有することを特徴とする請求項１記載の画像形成装置。
【手続補正２】
【補正対象書類名】明細書
【補正対象項目名】０００６
【補正方法】変更
【補正の内容】
【０００６】
上記課題を解決するため本発明は、画像を形成する画像形成手段と、前記画像形成手段によって形成された画像を記録材に転写するための転写ユニットと、装置本体に対して開閉可能に設けられた開閉部材と、を有し、前記転写ユニットは前記画像形成手段に隣接した隣接位置と前記画像形成手段を開放する開放位置とに移動可能である画像形成装置において、前記開閉部材と前記転写ユニットはそれぞれ、互いに係合する係合部を有し、前記開閉部材を開く時、それぞれの係合部は係合状態にあり、前記転写ユニットは前記開閉部材と共に移動し前記開放位置に移動し、前記開閉部材が開かれた状態にある時、それぞれの係合部は非係合状態にあり、前記転写ユニットは前記開閉部材とは関係なく前記隣接位置に移動可能であることを特徴とするものである。
【手続補正３】
【補正対象書類名】明細書
【補正対象項目名】００１９
【補正方法】変更
【補正の内容】
【００１９】
両面印刷の場合、定着を終えた転写材Ｐは、排紙ローラ対１５に転写材後端が達する直前に排紙ローラ対１５が逆回転し、フラッパ２７により切り替わった搬送経路を伝い、転写材Ｐを両面搬送路２８へと送り込む。両面搬送路２８は転写ユニット５０の背面部に形成されており、ドアパネル１８の内面には不図示の通紙ガイドリブや通紙ガイドコロを備える。つまり転写材を搬送する搬送手段である両面搬送路２８は転写ユニット５０とドアパネル１８の間に設けられている。両面搬送路２８には、斜送ローラ対２９が配置され、転写材Ｐを搬送すると同時に不図示の横レジガイド部材に転写材側端部を沿わせて横レジ合わせを行う。最下点のＵターンパス３０を通過した転写材Ｐは、転写部１０へと再給紙され、２面目の画像形成が行われる。
【手続補正書】
【提出日】平成21年7月8日(2009.7.8)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
ビデオ信号が入力されるユニットと、
第１の配線と、
第２の配線と、
前記第１の配線に直列に挿入された第１のスイッチと、
前記ユニットと前記第１の配線とを電気的に接続する第２のスイッチとを有し、
前記第２の配線で前記ユニットが選択されていない場合には前記第１のスイッチがオンとなり、
前記第２の配線で前記ユニットが選択され、前記ビデオ信号が前記ユニットに入力される場合には前記第１のスイッチがオフとなることを特徴とする半導体装置。
【請求項２】
ビデオ信号が入力されるユニットと、
第１の配線と、
第２の配線と、
前記第１の配線に直列に挿入された第１のトランジスタと、
前記ユニットと前記第１の配線とを電気的に接続する第２のトランジスタとを有し、
前記第２の配線で前記ユニットが選択されていない場合には前記第１のトランジスタがオンとなり、
前記第２の配線で前記ユニットが選択され、前記ビデオ信号が前記ユニットに入力される場合には前記第１のトランジスタがオフとなることを特徴とする半導体装置。
【請求項３】
ビデオ信号が入力されるユニットと、
第１の配線と、
第２の配線と、
前記第１の配線に直列に挿入された第１のトランジスタと、
前記ユニットと前記第１の配線とを電気的に接続する第２のトランジスタとを有し、
前記第１のトランジスタのゲートは前記第２の配線に電気的に接続され、
前記第１のトランジスタのソース及びドレインの一方は前記第２のトランジスタのソース及びドレインの一方に電気的に接続され、
前記第２のトランジスタのゲートは前記第２の配線に電気的に接続され、
前記第２のトランジスタのソース及びドレインの他方は前記ユニットに電気的に接続されていることを特徴とする半導体装置。
【請求項４】
ビデオ信号が入力されるユニットと、
第１の配線と、
第２の配線と、
第３の配線と、
前記第１の配線に直列に挿入された第１のトランジスタと、
前記ユニットと前記第１の配線とを電気的に接続する第２のトランジスタとを有し、
前記第２の配線で前記ユニットが選択されていない場合には前記第１のトランジスタがオンとなり、
前記第２の配線で前記ユニットが選択され、前記ビデオ信号が前記ユニットに入力される場合には前記第１のトランジスタがオフとなり、
前記第２のトランジスタのゲートは前記第３の配線に電気的に接続されていることを特徴とする半導体装置。
【請求項５】
ビデオ信号が入力されるユニットと、
第１の配線と、
第２の配線と、
第３の配線と、
前記第１の配線に直列に挿入された第１のトランジスタと、
前記ユニットと前記第１の配線とを電気的に接続する第２のトランジスタとを有し、
前記第１のトランジスタのゲートは前記第３の配線に電気的に接続され、
前記第１のトランジスタのソース及びドレインの一方は前記第２のトランジスタのソース及びドレインの一方に電気的に接続され、
前記第２のトランジスタのゲートは前記第２の配線に電気的に接続され、
前記第２のトランジスタのソース及びドレインの他方は前記ユニットに電気的に接続され、
前記第１のトランジスタのゲートに入力される信号は、前記第２のトランジスタのゲートに入力される信号の反転信号であることを特徴とする半導体装置。
【請求項６】
請求項１において、
前記スイッチはアナログスイッチであることを特徴とする半導体装置。
【請求項７】
請求項１乃至３のいずれか一において、
前記第１の配線はソース信号線であり、
前記第２の配線はゲート信号線であることを特徴とする半導体装置。
【請求項８】
請求項４または５において、
前記第１の配線はソース信号線であり、
前記第２の配線は第１のゲート信号線であり、
前記第３の配線は第２のゲート信号線であることを特徴とする半導体装置。
【請求項９】
請求項２または３において、
前記第１のトランジスタと前記第２のトランジスタは逆極性であることを特徴とする半導体装置。
【請求項１０】
請求項４または５において、
前記第１のトランジスタと前記第２のトランジスタは同極性であることを特徴とする半導体装置。
【請求項１１】
請求項１乃至１０のいずれか一において、
前記ユニットは、表示素子と、前記表示素子を制御する回路とを含むことを特徴とする半導体装置。
【請求項１２】
請求項１乃至１１のいずれか一において、
前記ユニットは表示素子として発光素子を有していることを特徴とする半導体装置。
【請求項１３】
請求項１乃至１１のいずれか一において、
前記ユニットは表示素子としてＥＬ素子を有していることを特徴とする半導体装置。
【請求項１４】
請求項１乃至１１のいずれか一において、
前記ユニットは表示素子として液晶素子を有していることを特徴とする半導体装置。
【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
周縁領域と、第１及び第２表示領域とに分割される表示板と、
前記第１及び第２表示領域に各々形成される複数の第１及び第２画素と、
前記表示板に光を照射するランプと、
前記周縁領域または前記第１表示領域に形成されて、外部光を受けて光量に対応する感知信号を生成する複数の光センサーと、
前記感知信号に基づいて現在の明るさの状態を判断して明るさ制御信号を生成する感知信号処理部と、
前記明るさ制御信号によって前記ランプの明るさを制御するランプ制御部とを有し、
前記第１及び第２画素は、各々第１及び第２画素電極を含み、前記第１画素電極の大きさは、前記第２画素電極の大きさより大きいことを特徴とする表示装置。
【請求項２】
前記第１画素電極は、透明電極及び反射電極を含み、前記光センサーのうちの少なくとも一つは、前記反射電極下に形成されることを特徴とする請求項１に記載の表示装置。
【請求項３】
前記周縁領域に形成される遮光部材をさらに含み、前記光センサーのうちの少なくとも一つは、前記遮光部材下に形成されることを特徴とする請求項１に記載の表示装置。
【請求項４】
前記光センサーは、前記感知信号を生成するための薄膜トランジスタからなる光感知素子を含むことを特徴とする請求項１に記載の表示装置。
【請求項５】
前記光センサーは、前記感知信号を出力するための薄膜トランジスタからなるスイッチング素子をさらに含むことを特徴とする請求項４に記載の表示装置。
【請求項６】
前記第１画素電極の大きさは、前記第２画素電極の大きさの３倍以上であることを特徴とする請求項１に記載の表示装置。
【請求項７】
前記感知信号処理部は、前記複数の光感知素子からの感知信号を処理して複数のデジタル信号に各々変換し、前記複数のデジタル信号のうちの同一の値のデジタル信号の数量が所定の数量以上であれば、前記同一の値のデジタル信号に対応する明るさの状態を前記現在の明るさの状態として判断することを特徴とする請求項１に記載の表示装置。
【請求項８】
前記感知信号処理部は、前記複数のデジタル信号のうちの同一の値のデジタル信号の数量が前記所定の数より少なければ、以前の明るさの状態を前記現在の明るさの状態として維持することを特徴とする請求項７に記載の表示装置。
【請求項９】
複数の画素を含む表示板と、
前記表示板に光を照射するランプと、
外部光を受けてその光量に対応する感知信号を生成する複数の光センサーと、
前記複数の光センサーからの感知信号を処理して複数のデジタル信号に各々変換し、前記複数のデジタル信号のうちの同一の値のデジタル信号の数量が所定の数量以上であれば、前記同一の値のデジタル信号に対応する明るさの状態を現在の明るさの状態として判断して、明るさ制御信号を生成する感知信号処理部と、
前記明るさ制御信号によって前記ランプの明るさを制御するランプ制御部とを有することを特徴とする表示装置。
【請求項１０】
前記複数のデジタル信号のうちの同一の値のデジタル信号の数量が前記所定の数量より少なければ、以前の明るさの状態を前記現在の明るさの状態として維持することを特徴とする請求項９に記載の表示装置。
【手続補正２】
【補正対象書類名】明細書
【補正対象項目名】発明の名称
【補正方法】変更
【補正の内容】
【発明の名称】表示装置
【手続補正３】
【補正対象書類名】明細書
【補正対象項目名】０００１
【補正方法】変更
【補正の内容】
【０００１】
本発明は表示装置及びその駆動方法に関し、特に、消費電力を減少させることができる半透過型の液晶表示装置に関する。
【手続補正４】
【補正対象書類名】明細書
【補正対象項目名】０００５
【補正方法】変更
【補正の内容】
【０００５】
そこで、本発明は上記従来の表示装置における問題点に鑑みてなされたものであって、本発明の目的は、消費電力を減少させることができる半透過型の液晶表示装置を提供することにある。
【手続補正５】
【補正対象書類名】明細書
【補正対象項目名】０００９
【補正方法】変更
【補正の内容】
【０００９】
前記複数のデジタル信号のうちの同一の値のデジタル信号の数量が前記所定の数量より少なければ、以前の明るさの状態を前記現在の明るさの状態として維持することが好ましい。
【手続補正６】
【補正対象書類名】明細書
【補正対象項目名】００１０
【補正方法】削除
【補正の内容】
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
互いに対向する第１電極と第２電極、及び、
前記第１電極と前記第２電極との間に形成された液晶層を含む液晶表示装置であり、
外部画像情報に対応する第１輝度を示す正規データ電圧、及び、前記第１輝度より低い第２輝度を示すインパルシブ電圧、を前記第１電極に対して交互に印加し、
前記輝度の最高階調に対するインパルシブ電圧の値が２．０Ｖから３．５Ｖであり、
前記輝度の最高階調に対する正規データ電圧の値が０．２Ｖから０．９Ｖである請求項１に記載の液晶表示装置。
【請求項２】
前記輝度の階調が一定の階調以下である場合、インパルシブ電圧の値が、ブラックを表示する電圧値に設定され、
前記輝度の階調が前記一定の階調以上の場合、インパルシブ電圧が輝度を単調に増加する電圧値に設定される請求項１に記載の液晶表示装置。
【請求項３】
正規データ電圧の持続時間とインパルシブ電圧の持続時間との間の比であるデューティ比が、１：１から４：１である請求項１に記載の液晶表示装置。
【請求項４】
インパルシブ電圧の持続時間が長いほど、前記輝度の最高階調に対するインパルシブ電圧が低い請求項１に記載の液晶表示装置。
【請求項５】
前記輝度の最高階調に対し、インパルシブ電圧の値が２．０Ｖであり、正規データ電圧の値が０．９Ｖである請求項１に記載の液晶表示装置。
【請求項６】
互いに対向する第１電極と第２電極、及び、
前記第１電極と前記第２電極との間に形成され、ベンド配向に配向されている液晶層を含む液晶表示装置であり、
外部画像情報に対応する輝度を示す正規データ電圧、及び、正規データ電圧の輝度より低い輝度を示すインパルシブ電圧を前記第１電極に対して交互に印加し、
最高階調に対するインパルシブ電圧の値が２．０Ｖから３．５Ｖであり、
最高階調に対するインパルシブ電圧が印加された際、正規データ電圧の値を、液晶層のベンド配向が壊れる電圧値の領域外に設定される液晶表示装置。
【請求項７】
前記輝度の階調が一定の階調以下である場合、インパルシブ電圧の値が、ブラックを表示する電圧値に設定され、
前記輝度の階調が前記一定の階調以上の場合、インパルシブ電圧が輝度を単調に増加する電圧値に設定される請求項６に記載の液晶表示装置。
【請求項８】
正規データ電圧の印加時間とインパルシブ電圧の印加時間との間の比が、１：１から４：１である請求項１に記載の液晶表示装置。
【請求項９】
互いに対向する第１電極と第２電極、及び、
前記第１電極と前記第２電極との間に形成され、ベンド配向に配向されている液晶層を含む液晶表示装置であり、
外部画像情報に対応する輝度を示す正規データ電圧、及び、正規データ電圧の輝度より低い輝度を示すインパルシブ電圧を前記第１電極に対して交互に印加し、
正規データ電圧の値が０Ｖである場合、ベンド配向が壊れるインパルシブ電圧の値をインパルシブ閾値電圧とし、
前記輝度の最高階調に対するインパルシブ電圧が印加された場合、正規データ電圧の値を、液晶層のベンド配向が壊れる電圧値の領域外に設定する液晶表示装置。
【手続補正書】
【提出日】平成21年3月5日(2009.3.5)
【手続補正１】
【補正対象書類名】特許請求の範囲
【補正対象項目名】全文
【補正方法】変更
【補正の内容】
【特許請求の範囲】
【請求項１】
親水性を有する長繊維のウエブと、該ウエブ中に埋没担持された高吸収性ポリマーとを含む吸収体を具備する吸収性物品であって、
前記高吸収性ポリマーは、０．６ｋＰａ加圧下での液通過速度が、１５０〜１５００ｇ／分であり、かつ前記ウエブの表面シート側の粒径の方が、裏面シート側の粒径よりも大きくなっている吸収性物品。
【請求項２】
吸収体と表面シートとの間に、サブレイヤーシートが配されている請求項１記載の吸収性物品。
【請求項３】
両側部に、吸収性物品の長手方向に延びる立体ガードが二重に配されている請求項１又は２記載の吸収性物品。
【請求項４】
前記長繊維が捲縮しており、その捲縮率が１０〜９０％である請求項１ないし３の何れかに記載の吸収性物品。
【請求項５】
前記長繊維が吸収体の平面方向に配向している請求項１ないし４の何れかに記載の吸収性物品。
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
特別識別情報をそれぞれ可変表示可能な複数の可変表示部を有する可変表示装置を備え、前記複数の可変表示部の表示結果が特定の表示態様となった場合に大当り遊技状態に制御する遊技機であって、
前記大当り遊技状態に制御するか否かを決定する大当り決定手段と、
前記大当り遊技状態の終了後に通常よりも前記特定の表示態様になる確率の高い特別遊技状態に移行するか否かを決定する特別遊技状態決定手段と、
前記複数の可変表示部のうちの一部の可変表示部に表示結果が未だ導出表示されていない段階ですでに導出表示されている可変表示部の表示態様が前記特定の表示態様の組合せとなる状態を示すリーチ演出を実行するリーチ演出実行手段と、
前記リーチ演出と異なる演出であって大当りが発生することに対する予告報知演出を前記リーチ演出が実行される特別識別情報の可変表示が開始される時点より前の期間において実行する手段であって、前記大当り決定手段が大当り遊技状態にする決定をしたときに大当り遊技状態にしない決定をしたときよりも高い確率で該予告報知演出を実行する予告報知演出実行手段とを備え、
前記予告報知演出実行手段は、前記特別遊技状態であるときは当該特別遊技状態でないときに比べて低い頻度で前記予告報知演出を実行する
ことを特徴とする遊技機。
【手続補正２】
【補正対象書類名】明細書
【補正対象項目名】０００７
【補正方法】変更
【補正の内容】
【０００７】
本発明による遊技機は、特別識別情報をそれぞれ可変表示可能な複数の可変表示部を有する可変表示装置を備え、始動領域への遊技球の入賞にもとづいて特別識別情報の可変表示を開始し、複数の可変表示部の表示結果が特定の表示態様となった場合に大当り遊技状態に制御する遊技機であって、大当り遊技状態に制御するか否かを決定する大当り決定手段と、大当り遊技状態の終了後に通常よりも特定の表示態様になる確率の高い特別遊技状態に移行するか否かを決定する特別遊技状態決定手段と、複数の可変表示部のうちの一部の可変表示部に表示結果が未だ導出表示されていない段階ですでに導出表示されている可変表示部の表示態様が特定の表示態様の組合せとなる状態を示すリーチ演出を実行するリーチ演出実行手段と、リーチ演出と異なる演出であって大当りが発生することに対する予告報知演出をリーチ演出が実行される特別識別情報の可変表示が開始される時点より前の期間において実行する手段であって、大当り決定手段が大当り遊技状態にする決定をしたときに大当り遊技状態にしない決定をしたときよりも高い確率で該予告報知演出を実行する予告報知演出実行手段とを備え、予告報知演出実行手段は、特別遊技状態であるときは特別遊技状態でないときに比べて低い頻度で予告報知演出を実行するように構成されている。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明によれば、遊技機を、遊技者に有利な状況である特別遊技状態であるときは特別遊技状態でないときに比べて低い頻度で予告報知演出を実行するように構成したので、特別遊技状態が速やかに消化され、特別遊技状態における遊技者にとって有利が状況が予告報知によって損なわれる可能性をなくすことができる効果がある。
【手続補正５】
【補正対象書類名】明細書
【補正対象項目名】００１０
【補正方法】削除
【補正の内容】
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
遊技者が所定の遊技を行うことが可能な遊技機であって、
遊技の進行を制御する遊技制御マイクロコンピュータと、
前記遊技制御マイクロコンピュータからのコマンドにもとづいて、遊技に用いられる遊技媒体の払出制御を行う払出制御マイクロコンピュータと、
遊技機で使用される所定電位電源を監視し検出条件が成立した場合に検出信号を出力する電源監視手段とを備え、
前記遊技制御マイクロコンピュータおよび前記払出制御マイクロコンピュータには、電力供給停止中でもバックアップ用電源によって電力供給停止直前の内容を少なくとも所定時間保持することが可能なＲＡＭが設けられ、
前記遊技制御マイクロコンピュータおよび前記払出制御マイクロコンピュータは、前記電源監視手段からの検出信号にもとづいて、制御状態を復元するために必要な情報を前記ＲＡＭに記憶させるための電力供給停止時処理を行い、
前記遊技制御マイクロコンピュータおよび払出制御マイクロコンピュータは、電力供給が復旧したときに前記ＲＡＭの記憶情報にもとづいて制御状態を復元するための復帰処理を実行し、
前記遊技制御マイクロコンピュータは、定期的に発生するタイマ割込にもとづいて起動される処理内で遊技制御に用いられる数値を更新する数値更新処理を実行し、
前記遊技制御マイクロコンピュータは、前記電力供給停止時処理にて該電力供給停止時処理の実行を示すフラグを前記ＲＡＭに設定し、
前記遊技制御マイクロコンピュータは、電力供給が復旧したときに、制御状態を復元するために必要な情報が前記ＲＡＭに保存されていると判定したことを条件に前記復帰処理を実行するとともに、あらかじめ決められている画面を表示することを示すコマンドを送信し、
前記遊技制御マイクロコンピュータは、前記フラグが前記ＲＡＭに保存されていたことを条件に前記復帰処理を実行し、
前記遊技制御マイクロコンピュータは、前記電力供給停止時処理にてコマンド送信処理を行わず、
前記払出制御マイクロコンピュータは、前記電力供給停止時処理にてコマンド受信処理を行わず、
前記遊技制御マイクロコンピュータへ前記検出信号を出力することとなる検出条件と前記払出制御マイクロコンピュータへ前記検出信号を出力することとなる検出条件とを同じ検出条件とすることにより、前記電源監視手段は、前記遊技制御マイクロコンピュータおよび前記払出制御マイクロコンピュータに対して、同じタイミングで検出信号を出力する
ことを特徴とする遊技機。
【手続補正２】
【補正対象書類名】明細書
【補正対象項目名】００１５
【補正方法】変更
【補正の内容】
【００１５】
本発明による遊技機は、遊技者が所定の遊技を行うことが可能な遊技機であって、遊技の進行を制御する遊技制御マイクロコンピュータと、遊技制御マイクロコンピュータからのコマンドにもとづいて、遊技に用いられる遊技媒体の払出制御を行う払出制御マイクロコンピュータと、遊技機で使用される所定電位電源を監視し検出条件が成立した場合に検出信号を出力する電源監視手段とを備え、遊技制御マイクロコンピュータおよび払出制御マイクロコンピュータには、電力供給停止中でもバックアップ用電源によって電力供給停止直前の内容を少なくとも所定時間保持することが可能なＲＡＭが設けられ、遊技制御マイクロコンピュータおよび払出制御マイクロコンピュータは、電源監視手段からの検出信号にもとづいて、制御状態を復元するために必要な情報をＲＡＭに記憶させるための電力供給停止時処理を行い、遊技制御マイクロコンピュータおよび払出制御マイクロコンピュータは、電力供給が復旧したときにＲＡＭの記憶情報にもとづいて制御状態を復元するための復帰処理を実行し、遊技制御マイクロコンピュータは、定期的に発生するタイマ割込にもとづいて起動される処理内で遊技制御に用いられる数値を更新する数値更新処理を実行し、遊技制御マイクロコンピュータは、電力供給停止時処理にて該電力供給停止時処理の実行を示すフラグをＲＡＭに設定し、遊技制御マイクロコンピュータは、電力供給が復旧したときに、制御状態を復元するために必要な情報がＲＡＭに保存されていると判定したことを条件に復帰処理を実行するとともに、あらかじめ決められている画面を表示することを示すコマンドを送信し、遊技制御マイクロコンピュータは、フラグがＲＡＭに保存されていたことを条件に復帰処理を実行し、遊技制御マイクロコンピュータは、電力供給停止時処理にてコマンド送信処理を行わず、払出制御マイクロコンピュータは、電力供給停止時処理にてコマンド受信処理を行わず、遊技制御マイクロコンピュータへ検出信号を出力することとなる検出条件と払出制御マイクロコンピュータへ検出信号を出力することとなる検出条件とを同じ検出条件とすることにより、電源監視手段は、遊技制御マイクロコンピュータおよび払出制御マイクロコンピュータに対して、同じタイミングで検出信号を出力することを特徴とする。
【手続補正３】
【補正対象書類名】明細書
【補正対象項目名】００１６
【補正方法】変更
【補正の内容】
【００１６】
本発明では、遊技機を、遊技制御マイクロコンピュータは、電力供給停止時処理にてコマンド送信処理を行わず、払出制御マイクロコンピュータは、電力供給停止時処理にてコマンド受信処理を行わず、遊技制御マイクロコンピュータへ検出信号を出力することとなる検出条件と払出制御マイクロコンピュータへ検出信号を出力することとなる検出条件とを同じ検出条件とすることにより、電源監視手段は、遊技制御マイクロコンピュータおよび払出制御マイクロコンピュータに対して、同じタイミングで検出信号を出力するように構成したので、電源断の直前に遊技制御マイクロコンピュータが送出したコマンドが払出制御マイクロコンピュータに受信されないといった不都合が生ずることはなく、払出制御マイクロコンピュータが遊技制御マイクロコンピュータからのコマンドを確実に受信することができる効果がある。
【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
補光によって果菜類または葉菜類を育成する際に、ピーク波長６６０ｎｍである赤色光（Ｒ）と、ピーク波長４５０ｎｍである青色光（Ｂ）と、ピーク波長７３０ｎｍである遠赤色光（ＦＲ）とについて、ハウス内で透過太陽光がＲ／Ｂの比およびＲ／ＦＲの比がともに小さくなるように補光を照射する植物の育成方法。
【請求項２】
補光によって果菜類または葉菜類を育成する際に、ピーク波長４５０ｎｍである青色光（Ｂ）、ピーク波長６６０ｎｍである赤色光（Ｒ）およびピーク波長７３０ｎｍである遠赤色光（ＦＲ）のうちの少なくとも１種含む光をハウス内で照射することにより、透過太陽光におけるＲ／Ｂの比およびＲ／ＦＲの比がともに小さくなる植物の育成方法。
【請求項３】
照射青色光は、発生する雲の量に比例させて強くする請求項１または２記載の育成方法。
【請求項４】
天井および周壁を透光資材で構成することで太陽光を利用する育成ハウスであって、ハウス内に微発熱光源を設置し、該光源によって少なくとも青色光（Ｂ）と遠赤色光（ＦＲ）とを照射することにより、透過太陽光におけるＲ／Ｂの比およびＲ／ＦＲの比をともに小さくするとともに、各微発熱光源を各栽培植物に近接させて配置している育成ハウス。
【請求項５】
微発熱光源が、赤色光、青色光または遠赤色光を発光するＦＥ光源であり、該ＦＥ光源は、電子放出の陰極において、多数のダイヤモンド超微粒子を絶縁基板上に分散配置し、先端が尖鋭な非晶質炭素の微小エミッタをダイヤモンド超微粒子相互間に形成する請求項４記載の育成ハウス。
【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が配列された複数の周回体と、
前記各周回体について各絵柄のうち一部の絵柄を視認可能とする表示部と、
前記各周回体の周回を開始させるべく操作される始動操作手段と、
前記始動操作手段の操作に基づいて特典役等の役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記役の抽選結果及び前記各停止操作手段の操作に基づいて、該各停止操作手段の操作タイミングから予め定めた規定期間に、操作された停止操作手段と対応する周回体の周回を停止させるよう前記各駆動手段を停止駆動制御する停止駆動制御手段と、
前記役の抽選結果が前記特典役当選であって、対応する特典絵柄が前記表示部から視認できる有効位置に所定の組合せを形成して停止した場合、特典入賞成立として遊技者に特典を付与する特典付与手段と
を備えた遊技機において、
前記特典付与手段は、第１特典絵柄が前記有効位置に所定の組合せを形成して停止した場合、第１特典入賞成立として、遊技に用いる遊技媒体を前記第１特典入賞の成立した遊技で払い出す第１特典を付与する第１特典付与手段と、第２特典絵柄が前記有効位置に所定の組合せを形成して停止した場合、第２特典入賞成立として前記第１特典より有利度合いの大きな第２特典を付与する第２特典付与手段とを備え、
前記第２特典付与手段を、前記第２特典として、前記第２特典入賞の成立した遊技では前記遊技媒体を払い出さず、所定の終了条件が成立するまで遊技状態を遊技者に有利な特定遊技状態に移行させる特典を付与する構成とすると共に、前記役の抽選結果が前記特典役当選である場合、少なくとも次の遊技回が開始されるまでに前記特典役当選を無効とする無効化手段を設け、
前記各周回体のうち規定の周回体には、複数種の第１特典絵柄を配置すると共に、対応する停止操作手段が所定タイミングで操作された場合に限り前記各第１特典絵柄を前記有効位置に到達させることが可能となるよう前記各第１特典絵柄を配置し、さらに、前記所定タイミングで前記停止操作手段が操作された場合には前記第２特典絵柄が前記有効位置に到達せず、前記第２特典絵柄を前記有効位置に到達させることが可能なタイミングで前記停止操作手段が操作された場合には前記各第１特典絵柄の少なくとも一部が前記有効位置に到達しないよう、前記第２特典絵柄を配置したことを特徴とする遊技機。
【請求項２】
前記規定の周回体には、前記第１特典絵柄の１種である所定絵柄を、前記所定絵柄を前記有効位置に到達させることが可能なタイミングで前記停止操作手段が操作された場合には前記第２特典絵柄が前記有効位置に到達せず、前記第２特典絵柄を前記有効位置に到達させることが可能なタイミングで前記停止操作手段が操作された場合には前記所定絵柄が前記有効位置に到達しないように配置したことを特徴とする請求項１に記載の遊技機。
【請求項３】
前記停止駆動制御手段は、前記周回体の周回を停止させる停止態様として、前記停止操作手段が操作されたタイミングで前記有効位置に到達している到達絵柄をそのまま当該有効位置に停止させる停止態様と、前記到達絵柄を前記周回体の周回する側に予め定めた絵柄数分だけ移動させた後に停止させる停止態様と、のうち複数の停止態様を有し、
前記規定の周回体には、前記規定期間に前記到達絵柄の移動できる最大絵柄数以上に離間させて前記所定絵柄と前記第２特典絵柄を配置したことを特徴とする請求項２に記載の遊技機。
【請求項４】
前記規定の周回体には、前記第１特典絵柄の１種であって前記所定絵柄と異なる規定絵柄を、前記規定絵柄を前記有効位置に到達させることが可能なタイミングで前記停止操作手段が操作された場合には前記第２特典絵柄が前記有効位置に到達せず、前記第２特典絵柄を前記有効位置に到達させることが可能なタイミングで前記停止操作手段が操作された場合には前記規定絵柄が前記有効位置に到達しないように配置したことを特徴とする請求項２又は３に記載の遊技機。
【請求項５】
前記停止駆動制御手段は、前記周回体の周回を停止させる停止態様として、前記停止操作手段が操作されたタイミングで前記有効位置に到達している到達絵柄をそのまま当該有効位置に停止させる停止態様と、前記到達絵柄を前記周回体の周回する側に予め定めた絵柄数分だけ移動させた後に停止させる停止態様と、のうち複数の停止態様を有し、
前記第１特典絵柄の種類を前記停止駆動制御手段が有する停止態様数以下とすると共に、前記規定の周回体には、前記停止態様数と同数の範囲内に前記各第１特典絵柄が配置された区間が形成されるよう前記各第１特典絵柄を配置したことを特徴とする請求項４に記載の遊技機。
【請求項６】
前記停止駆動制御手段は、前記役の抽選結果が前記所定絵柄と対応する所定特典役当選であって、対応する第１特典入賞を成立させることが不可能な場合に、前記第２特典入賞を成立させることが可能となるよう前記各駆動手段を停止駆動制御することを特徴とする請求項２乃至５のいずれか１に記載の遊技機。
【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
本体部材に対して開閉自在な扉部材を備えた遊技機において、
前記扉部材は、前記本体部材と対向する面とは反対側の面である前面側に位置する不透明な前面側部材と、前記本体部材と対向する面である裏面側に位置する不透明な裏面側部材とを備え、前記前面側部材と前記裏面側部材との間に、前記前面側部材と前記裏面側部材とは異なる材質で形成された補強部材を挟んで構成されている
ことを特徴とする遊技機。
【請求項２】
請求項１に記載の遊技機において、
前記本体部材は、遊技球が打ち込まれる遊技領域を有する遊技盤を備え、
前記扉部材は、前記本体部材に対して閉じた状態で前記遊技盤の遊技領域が視認可能な視認窓を備え、
前記補強部材は、前記扉部材の正面視で当該扉部材のうちで前記視認窓を除く箇所で、かつ、前記視認窓の周囲に位置するように前記裏面側部材の前側に取り付けられて、前記前面側部材と前記裏面側部材との間に挟み込まれている
ことを特徴とする遊技機。
【請求項３】
請求項２に記載の遊技機において、
前記補強部材は補強用の板金であり、
前記板金は、前記扉部材での前面側および裏面側を除く外周箇所である外周部でその扉部材の裏面の方に向かって折り曲げられた折り曲げ部を備えている
ことを特徴とする遊技機。
【請求項４】
請求項３に記載の遊技機において、
前記本体部材は、当該本体部材の正面視でその外端箇所に、前記扉部材の閉状態において当該扉部材の前記外周部の少なくとも前記本体部材に近い側が内接または近接する外壁部を備えており、
前記折り曲げ部は、その先端が前記本体部材の方に向かって突出した突出部を備え、
前記本体部材は、前記外壁部の内側で、前記扉部材の閉状態において当該扉部材の前記折り曲げ部の前記突出部が入る凹部を備えている
ことを特徴とする遊技機。
【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
本体部材に対して開閉自在な扉部材を備えた遊技機において、
前記扉部材は、前記本体部材と対向する面とは反対側の面である前面側に位置する前面側部材と、前記本体部材と対向する面である裏面側に位置する裏面側部材とを備え、前記前面側部材と前記裏面側部材との間に補強部材の一部である挟持部分を挟み込んでおり、
前記補強部材での非挟持部分は、前記扉部材での前面側および裏面側を除く外周箇所である外周部でその扉部材の裏面の方に向かって折り曲げられた折り曲げ部としている
ことを特徴とする遊技機。
【請求項２】
本体部材に対して開閉自在な扉部材を備えた遊技機において、
前記扉部材は、扉本体部を備え、前記扉本体部での前記本体部材と対向する面とは反対側の面である前面側に、補強部材の一部である前面側部分が取り付けられており、
前記補強部材での非前面側部分は、前記扉本体部での前面側および裏面側を除く外周箇所である外周部でその扉本体部の裏面の方に向かって折り曲げられた折り曲げ部としている
ことを特徴とする遊技機。
【請求項３】
請求項１または請求項２に記載の遊技機において、
前記本体部材は、当該本体部材の正面視でその外端箇所に、前記扉部材の閉状態において当該扉部材の前記外周部の少なくとも前記本体部材に近い側が内接する外壁部を備えており、
前記折り曲げ部は、その先端が前記本体部材の方に向かって突出した突出部を備え、
前記本体部材は、前記外壁部の内側で、前記扉部材の閉状態において当該扉部材の前記折り曲げ部の前記突出部が入る凹部を備えている
ことを特徴とする遊技機。
【請求項４】
請求項１から請求項３のいずれか一つに記載の遊技機において、
前記本体部材は、遊技球が打ち込まれる遊技領域を有する遊技盤を備え、
前記扉部材は、前記本体部材に対して閉じた状態で前記遊技盤の遊技領域が視認可能な視認窓を備え、
前記補強部材は、複数個の補強用の板金からなり、
前記複数個の板金は、前記扉部材の正面視で当該扉部材のうちで前記視認窓を除く箇所で、かつ、前記視認窓の周囲にそれぞれ位置するように設けられており、これら板金が電気的に接続されており、
前記前面側部材は、発光手段と、前記発光手段により照らされ金属製又は金属メッキを施した装飾部材とを備え、
前記補強部材は前記装飾部材に電気的に接続されている
ことを特徴とする遊技機。
【手続補正書】
【提出日】平成21年2月26日(2009.2.26)
【手続補正１】
【補正対象書類名】特許請求の範囲
【補正対象項目名】請求項１
【補正方法】変更
【補正の内容】
【請求項１】
モリブデン、ビスマス及び鉄を必須成分として含有する複合酸化物、を含むメタクロレイン及びメタクリル酸合成用触媒の製造方法であって、
少なくとも、モリブデン、ビスマス及び鉄の各原料を水に溶解または分散させて原料溶液またはスラリーを調製する工程と、
前記原料溶液またはスラリーを熱処理して触媒前駆体を得る工程と、
前記触媒前駆体をメジアン径0.01〜10μｍに微粉化する工程と、
前記微粉化された触媒前駆体を水に分散させて触媒前駆体スラリーを調製する工程と、
前記触媒前駆体スラリーを熱処理する工程と、
を有することを特徴とするメタクロレイン及びメタクリル酸合成用触媒の製造方法。
【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
ケースと、該ケースに収納されるコイルと、該コイル内に挿入される駆動子と、該駆動子を弾性的に支持するサスペンションとを備え、前記コイルに交流電流を供給することにより前記駆動子を前記コイルの軸心方向に往復運動させて振動を発生する振動体において、
前記ケースは前記駆動子を囲む枠体と、前記コイルを固定すると共に前記枠体の一方の開口側を塞ぐ基板と、前記枠体の他方の開口側を塞ぐプロテクターとを有し、前記基板に衝撃緩衝部材を設けたことを特徴とする振動体。
【請求項２】
ケースと、該ケースに収納されるコイルと、該コイル内に挿入される駆動子と、該駆動子を弾性的に支持するサスペンションとを備え、前記コイルに交流電流を供給することにより前記駆動子を前記コイルの軸心方向に往復運動させて振動を発生する振動体において、
前記ケースは前記駆動子を囲む枠体と、前記コイルを固定すると共に前記枠体の一方の開口側を塞ぐ基板と、前記枠体の他方の開口側を塞ぐプロテクターとを有し、前記プロテクターに衝撃緩衝部材を設けたことを特徴とする振動体。
【請求項３】
ケースと、該ケースに収納されるコイルと、該コイル内に挿入される駆動子と、該駆動子を弾性的に支持するサスペンションとを備え、前記コイルに交流電流を供給することにより前記駆動子を前記コイルの軸心方向に往復運動させて振動を発生する振動体において、
前記ケースは前記駆動子を囲む枠体と、前記コイルを固定すると共に前記枠体の一方の開口側を塞ぐ基板と、前記枠体の他方の開口側を塞ぐプロテクターとを有し、前記基板と前記プロテクターとに衝撃緩衝部材を設けたことを特徴とする振動体。
【請求項４】
前記基板に設ける衝撃緩衝部材は、前記基板の前記駆動子と対向する側に配置され、前記駆動子の往復運動する軸心方向における前記衝撃緩衝部材と前記駆動子との間隔ａと、前記駆動子と前記プロテクターとの間隔ｂとが次式、
ｂ≧１．２×ａ
の関係を満たすように構成されていることを特徴とする請求項１に記載の振動体。
【請求項５】
前記サスペンションは前記駆動子の往復運動する軸心方向から前記駆動子を挟むように対向配設される第１の板バネと第２の板バネとからなり、該第２の板バネの前記駆動子と対向する側に衝撃緩衝部材が設けられていることを特徴とする請求項１に記載の振動体。
【請求項６】
前記駆動子は円筒形状をなす磁石と、該磁石の一方の端面に当接するヨークと、該ヨークに取り付けられている錘とを備えたことを特徴とする請求項１から５のいずれか１項に記載の振動体。
【請求項７】
前記駆動子は円筒形状をなす磁石と、該磁石の一方の端面に当接するヨークと、該磁石の他方の端面に当接されるトッププレートと、前記ヨークに取り付けられている錘を備え、該トッププレートに衝撃緩衝部材を設けたことを特徴とする請求項２に記載の振動体。
【請求項８】
ケースと、該ケースに収納されるコイルと、該コイル内に挿入される駆動子と、該駆動子を弾性的に支持するサスペンションとを備え、前記コイルに交流電流を供給することにより前記駆動子を前記コイルの軸心方向に往復運動させて振動を発生する振動体において、
前記駆動子は円筒形状をなす磁石と、該磁石の一方の端面に当接するヨークと、該磁石の他方の端面に当接されるトッププレートと、前記ヨークに取り付けられている錘を有し、前記サスペンションは前記駆動子の往復運動する軸心方向から前記駆動子を挟むように対向配設される第１の板バネと第２の板バネとを有し、前記トッププレートと前記第２の板バネとのうち少なくともいずれか一方に衝撃緩衝部材を設けたことを特徴とする振動体。
【請求項９】
前記駆動子の錘に衝撃緩衝部材を設けたことを特徴とする請求項６から請求項８のいずれか１項に記載の振動体。
【請求項１０】
前記衝撃緩衝部材はマイクロセルポリマー等の発泡材からなることを特徴とする請求項１から請求項９のいずれか１項に記載の振動体。
【手続補正２】
【補正対象書類名】明細書
【補正対象項目名】００１４
【補正方法】変更
【補正の内容】
【００１４】
また、駆動子は円筒形状をなす磁石と、該磁石の一方の端面に当接するヨークと、該ヨークに取り付けられている錘とを備えたことを特徴とする。
また、駆動子の錘に衝撃緩衝部材を設けたことを特徴とする。
【手続補正３】
【補正対象書類名】明細書
【補正対象項目名】００２２
【補正方法】変更
【補正の内容】
【００２２】
さらに、駆動子２０の往復運動する軸心方向における駆動子２０の錘７とプロテクター６との間隔ｂの値を衝撃緩衝部材１１と駆動子２０のトッププレート２との間隔ａの値の１．２倍より大きい値に設定し、振動系を片側に寄せて、その反対側に衝撃緩衝材１１を配置することにより過大入力によるノイズの発生を防止することができる。
【手続補正４】
【補正対象書類名】明細書
【補正対象項目名】００２９
【補正方法】変更
【補正の内容】
【００２９】
また、この第２の板バネ５に設ける衝撃緩衝部材１４は、その一端が第２の板バネ５の駆動子２０と対向する側、即ち第２の板バネ５の内周部２５におけるヨーク９に対応する位置でプロテクター６と対向する表面２５ｂに当接するように配置されている。また、衝撃緩衝部材１４の他端１４ａは、第２の板バネ５の段部２５ａを越える位置まで延長されている。即ち、衝撃緩衝部材１４の一端から他端１４ａまでの厚さは、第２の板バネ５の表面２５ｂから段部２５ａまでの厚さに比較して大きい値に設定されている。本実施例の振動体においても、実施例３の振動体と同様の効果を得ることができる。また、第２の板バネ５にのみ衝撃緩衝部材を配置しても同様の効果が得られるが、第２の板バネ５、基板１及び錘７に衝撃緩衝部材を配置した方がより大きな効果が得られるため好ましい。
【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が配列された複数の周回体と、
前記各周回体について各絵柄のうち一部の絵柄を視認可能とする表示部と、
前記各周回体の周回を開始させるべく操作される始動操作手段と、
前記始動操作手段の操作に基づいて特典役等の役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記役の抽選結果及び前記各停止操作手段の操作に基づいて、該各停止操作手段の操作タイミングから予め定めた規定期間に、操作された停止操作手段と対応する周回体の周回を停止させるよう前記各駆動手段を停止駆動制御する停止駆動制御手段と、
前記役の抽選結果が前記特典役当選であって、対応する特典絵柄が前記表示部から視認できる有効位置に所定の組合せを形成して停止した場合、遊技者に特典を付与する特典付与手段と
を備えた遊技機において、
前記特典役として少なくとも特定特典役と規定特典役を設定し、
前記特典付与手段は、前記役の抽選結果が前記特定特典役当選であって、前記各周回体に付された第１特定絵柄が前記有効位置に停止した場合、第１入賞成立として第１特典を付与する第１特典付与手段と、前記役の抽選結果が前記特定特典役当選であって、前記各周回体に付された第２特定絵柄が前記有効位置に停止した場合、第２入賞成立として前記第１特典より有利度合いの大きな第２特典を付与する第２特典付与手段と、前記役の抽選結果が前記規定特典役当選であって、前記各周回体のうち規定の周回体に付された規定絵柄が前記有効位置に停止した場合、第３入賞成立として第３特典を付与する第３特典付与手段と
を備え、
前記停止駆動制御手段は、前記役の抽選結果が前記特定特典役当選の場合に、前記第１入賞又は前記第２入賞のいずれかを成立させることが可能となるよう各駆動手段を停止駆動制御する特定絵柄停止手段を備え、
前記規定の周回体には、前記第１特定絵柄と前記規定絵柄を、少なくとも所定位置に付された所定絵柄が前記有効位置に到達したタイミングで対応する停止操作手段が操作された場合、前記第１特定絵柄と前記規定絵柄を前記規定期間に共に前記有効位置に到達させることが可能となるように配置し、前記第２特定絵柄を、前記第１特定絵柄と前記規定絵柄を前記規定期間に共に前記有効位置に到達させることが可能なタイミングで対応する停止操作手段が操作された場合には前記第２特定絵柄が前記有効位置に到達せず、前記第２特定絵柄を前記規定期間に前記有効位置に到達させることが可能なタイミングで対応する停止操作手段が操作された場合には前記第１特定絵柄と前記規定絵柄がいずれも前記有効位置に到達しない位置に配置したことを特徴とする遊技機。
【請求項２】
前記特定絵柄停止手段は、前記第１特定絵柄を前記規定期間に前記有効位置に到達させることが可能なタイミングで前記規定の周回体と対応する停止操作手段が操作された場合、前記第１特定絵柄が前記有効位置に停止するよう対応する駆動手段を停止駆動制御し、前記第２特定絵柄を前記規定期間に前記有効位置に到達させることが可能なタイミングで前記規定の周回体と対応する停止操作手段が操作された場合、前記第２特定絵柄が前記有効位置に停止するよう対応する駆動手段を停止駆動制御することを特徴とする請求項１に記載の遊技機。
【請求項３】
前記特定絵柄停止手段は、前記規定の周回体の周回を停止させるべく対応する停止操作手段が操作された場合、前記第１特定絵柄を前記規定期間に前記有効位置に停止させることが可能であれば前記第１特定絵柄を前記有効位置に停止させるように、前記第２特定絵柄を前記規定期間に前記有効位置に停止させることが可能であれば前記第２特定絵柄を前記有効位置に停止させるように、対応する駆動手段を停止駆動制御することを特徴とする請求項１に記載の遊技機。
【請求項４】
前記規定の周回体以外の周回体には、前記第１特定絵柄を前記規定期間に前記有効位置に到達させることが可能なタイミングで対応する停止操作手段が操作された場合には前記第２特定絵柄が前記有効位置に到達せず、前記第２特定絵柄を前記規定期間に前記有効位置に到達させることが可能なタイミングで対応する停止操作手段が操作された場合には前記第１特定絵柄が前記有効位置に到達しないよう、前記第１特定絵柄と前記第２特定絵柄を離間して配置したことを特徴とする請求項１乃至３のいずれか１に記載の遊技機。
【請求項５】
前記特定絵柄停止手段は、前記周回体の周回を停止させる停止態様として、前記停止操作手段が操作されたタイミングで前記有効位置に到達している到達絵柄をそのまま当該有効位置に停止させる停止態様と、前記到達絵柄を前記周回体の周回する側に予め定めた絵柄数分だけ移動させた後に停止させる停止態様と、のうち複数の停止態様を有し、
前記規定の周回体には、前記規定期間に前記到達絵柄の移動できる最大絵柄数以上に離間させて前記第１特定絵柄と前記第２特定絵柄を配置すると共に、前記最大絵柄数以上に離間させて前記規定絵柄と前記第２特定絵柄を配置し、さらに、前記第１特定絵柄と前記規定絵柄が前記最大絵柄数より少ない絵柄数だけ離間する区間を少なくとも１カ所形成するように前記第１特定絵柄と前記規定絵柄を配置したことを特徴とする請求項１乃至４のいずれか１に記載の遊技機。
【請求項６】
前記役の抽選結果が前記特定特典役当選である場合、少なくとも次の遊技回が開始されるまでに前記特定特典役当選を無効とする無効化手段を備えたことを特徴とする請求項１乃至５のいずれか１に記載の遊技機。
【請求項７】
前記第３特典付与手段は、前記第３特典として前記第２特典より有利度合いの小さな特典を付与することを特徴とする請求項１乃至６のいずれか１に記載の遊技機。